【手続補正書】
【提出日】平成25年1月15日(2013.1.15)
【手続補正１】
【補正対象書類名】特許請求の範囲
【補正対象項目名】全文
【補正方法】変更
【補正の内容】
【特許請求の範囲】
【請求項１】
ｅメールの送信者が特定の電話番号に関連付けられた移動通信デバイスを所有する旨を、ｅメールの受信者に対して証明する方法であって、
前記送信者側で、インターネットを介して前記ｅメール・コンテンツの識別子及び前記電話番号をサーバに送信すること、
前記サーバ側で、前記送信者からの前記識別子及び前記電話番号を受信し、検証コードを生成し、前記インターネットを介して前記検証コードを前記送信者に送信し、前記検証コードを前記識別子及び前記電話番号と共に格納すること、
前記送信者側で、前記サーバから前記検証コードを受信し、前記移動通信デバイスによって送信されたショート・メッセージ・サービスのメッセージ内で前記検証コードを前記サーバに戻すこと、
前記サーバ側で、前記ショート・メッセージ・サービスのメッセージの発信元である前記受信した検証コード及び前記電話番号が、前記格納された電話番号及び検証コードと一致することを確認した後、前記電話番号及び前記識別子を使用して認証文字列を生成し、前記インターネットを介して前記認証文字列を前記送信者に送信すること、
前記送信者側で、前記サーバから前記認証文字列を受信し、前記認証文字列及び前記電話番号を含む前記ｅメールを前記インターネットを介して前記受信者に送信すること、
前記受信者側で、前記ｅメールを受信し、前記認証文字列、前記電話番号、及び前記受信したｅメール・コンテンツの前記識別子を、前記サーバ又は他のサーバに転送すること、及び、
前記受信サーバ側で、前記認証文字列、前記電話番号、及び前記識別子を受信し、前記受信した電話番号及び識別子を使用して確認認証文字列を生成し、前記受信した認証文字列が前記確認認証文字列と同じであることを確認し、その確認を前記受信者に送信すること、
を含む、方法。
【請求項２】
前記サーバ側で、前記インターネットを介して前記検証コードを前記サーバに送信した時に、タイマを開始すること、前記送信者から前記検証コードを受信した時に、前記タイマが満了したかどうかを判別すること、及び、前記タイマが満了していない場合、前記ショート・メッセージ・サービスのメッセージの発信元である前記受信した検証コード及び前記電話番号が、前記格納された電話番号及び検証コードと一致することを単に確認することを、さらに含む、請求項１に記載の方法。
【請求項３】
前記送信者側で、前記ｅメール・コンテンツの前記識別子を、前記受信者に送信される前記ｅメールに含めることを、さらに含む、請求項１に記載の方法。
【請求項４】
前記ｅメール・コンテンツの前記識別子が前記ｅメール・コンテンツのハッシュ値を備え、前記ｅメール・コンテンツの前記ハッシュ値を生成することをさらに含む、請求項１に記載の方法。
【請求項５】
インターネットに接続されたユーザ端末上のｅメール・クライアントを操作する方法であって、
前記ユーザ端末から受信者へのｅメールの送信に先立って、前記ｅメール・コンテンツの識別子及び前記端末の前記ユーザが所有する移動通信デバイスの電話番号をサーバに送信すること、
前記送信に応答して、前記インターネットを介して前記サーバから検証コードを受信すること、
前記移動通信デバイスによって送信されるショート・メッセージ・サービス（ＳＭＳ）メッセージを介して、前記検証コードを前記サーバに戻すこと、
前記戻すことに続いて、前記インターネットを介して前記サーバから認証文字列を受信すること、
前記認証文字列及び前記電話番号を前記ｅメールに埋め込むこと、及び
前記ｅメールを前記受信者に送信すること、
を含む、方法。
【請求項６】
前記ｅメール・コンテンツの前記識別子を、前記受信者に送信される前記ｅメールに含めることをさらに含む、請求項５に記載の方法。
【請求項７】
前記ｅメール・コンテンツの前記識別子が前記ｅメール・コンテンツのハッシュ値を備え、前記ｅメール・コンテンツの前記ハッシュ値を生成することをさらに含む、請求項５に記載の方法。
【請求項８】
前記ユーザ端末のｅメール・クライアントは、前記ｅメール・コンテンツの前記ハッシュ値を生成するステップと、前記ハッシュ値及び前記電話番号を前記サーバに送信するステップとを、自動的に実行する、請求項７に記載の方法。
【請求項９】
前記認証文字列及び前記電話番号を前記ｅメールに含めるステップは、前記認証文字列が受信された時に、前記ユーザ端末のｅメール・クライアントによって自動的に実行される、請求項５に記載の方法。
【請求項１０】
サーバを操作する方法であって、
ｅメールの送信者から前記ｅメール・コンテンツの識別子及び電話番号を受信すること、
検証コードを生成すること、
インターネットを介して前記送信者に前記検証コードを送信すること、
前記識別子及び前記電話番号と共に前記検証コードを格納すること、
ショート・メッセージ・サービスのメッセージ内で前記サーバに戻された前記検証コードを受信すること、及び
前記ショート・メッセージ・サービスのメッセージの発信元である前記受信した検証コード及び前記電話番号が、前記検証コード及び前記電話番号と一致することを判別し、一致する場合は、前記電話番号及び前記識別子を使用して認証文字列を生成し、前記インターネットを介して前記認証文字列を前記送信者に送信すること、
を含む、方法。
【請求項１１】
前記インターネットを介して前記送信者に前記検証コードを送信した時に、タイマを開始すること、前記送信者から前記検証コードを受信した時に、前記タイマが満了したかどうかを判別すること、及び、前記タイマが満了していない場合、前記ショート・メッセージ・サービスのメッセージの発信元である前記受信した検証コード及び前記電話番号が、前記格納された電話番号及び検証コードと一致することを単に確認することを、さらに含む、請求項１０に記載の方法。
【請求項１２】
サーバを操作する方法であって、
前記サーバが、ｅメールの受信者から、認証文字列、送信者が所有する移動通信デバイスの電話番号、及び前記ｅメール・コンテンツの識別子を受信すること、
前記サーバが、前記受信した電話番号及び識別子を使用して確認認証文字列を生成すること、
前記サーバが、前記受信した認証文字列が前記生成された確認認証文字列と同じであるかどうかを判別すること、及び、
前記受信した認証文字列が前記生成された確認認証文字列と同じであるかどうかの判別に応答して、前記サーバが、前記ｅメール・コンテンツの前記送信者が前記電話番号に関連付けられた前記移動通信デバイスを所有するか否かを確認するメッセージを前記受信者に送信すること、
を含む、方法。
【請求項１３】
インターネットに接続されたユーザ端末上のｅメール・クライアントを操作する方法であって、
送信者からｅメールを受信することであって、前記ｅメールは認証文字列及び前記送信者が所有する移動通信デバイスの電話番号を含む、受信すること、
前記認証文字列、前記電話番号、及び前記ｅメール・コンテンツの識別子をサーバに送信すること、
前記送信することに応答して、前記ｅメール・コンテンツの前記送信者が前記電話番号に関連付けられた前記移動通信デバイスを所有するか否かを確認するメッセージを前記サーバから受信すること、及び、
確認の成功時に、前記ユーザ端末上の前記ｅメール・クライアントによる前記ｅメール・コンテンツにアクセスすること、
を含む、方法。
【請求項１４】
前記ｅメール・コンテンツの前記識別子が前記ｅメール・コンテンツのハッシュ値を備え、前記ｅメール・コンテンツの前記ハッシュ値を生成することをさらに含む、請求項１３に記載の方法。
【請求項１５】
ユーザ端末として動作するように構成された装置であって、
受信者へのｅメールを生成するように構成され、及び前記ｅメールの送信に先立って認証文字列と送信者が所有する移動通信デバイスの電話番号とを前記ｅメールに埋め込むための、ｅメール・クライアントと、
ｅメール・コンテンツの識別子及び前記電話番号をサーバに送信するように構成されたネットワーク送信機と、
前記サーバから検証コードを受信するように、及び、前記ｅメールに関する前記認証文字列を前記サーバから受信するように構成された、ネットワーク受信機と、
を備え、
さらに前記ネットワーク送信器が、前記認証文字列及び前記電話番号を含む前記ｅメールを前記受信者に送信するように構成された、
装置。
【請求項１６】
前記ｅメール・クライアントは、ハッシュ関数を前記ｅメール・コンテンツに適用することによって前記識別子を生成するように配置構成された、請求項１５に記載の装置。
【請求項１７】
サーバとして動作するように構成された装置であって、
ｅメールの送信者から、前記ｅメール・コンテンツの識別子及び前記送信者が所有する移動通信デバイスの電話番号を受信するように構成された、通信受信機と、
検証コードを生成するように構成されたコード生成ユニットと、
インターネットを介して前記検証コードを前記送信者に送信するように構成された通信送信機と、
前記識別子及び前記電話番号と共に前記検証コードを格納するためのメモリと、
ショート・メッセージ・サービスのメッセージ内で前記サーバに戻された前記検証コードを受信するため通信受信機と、
前記ショート・メッセージ・サービスのメッセージの発信元である前記受信した検証コード及び前記電話番号が、格納された検証コード及び電話番号と一致するかどうかを判別し、一致する場合は、前記電話番号及び前記識別子を使用して認証文字列を生成する、処理ユニットと、
を備え、
さらに前記通信送信器が、前記インターネットを介して前記認証文字列を前記送信者に送信するように構成された、
装置。
【請求項１８】
前記検証が前記送信者に送信された時に開始されるタイマをさらに備え、前記処理ユニットは、前記送信者から前記検証コードを受信した時に、前記タイマが満了したかどうかを判別し、前記タイマが満了していない場合、前記ショート・メッセージ・サービスのメッセージの発信元である前記受信した検証コード及び前記電話番号が、前記格納された電話番号及び検証コードと一致することを単に確認するように配置構成された、請求項１７に記載の装置。
【請求項１９】
サーバとして動作するように構成された装置であって、
ｅメールの受信者から、認証文字列、送信者が所有する移動通信デバイスの電話番号、及び前記ｅメール・コンテンツの識別子を受信するように構成された受信機と、
前記受信した電話番号及び識別子を使用して確認認証文字列を生成するように、及び、前記受信した認証文字列と前記生成された確認認証文字列とが同じであるかどうかを判別するように構成された、処理ユニットと、
メッセージを前記受信者に送信するためのネットワーク送信機であって、前記メッセージは、前記ｅメール・コンテンツの前記送信者が前記電話番号に関連付けられた前記移動通信デバイスを所有するか否かを確認するものである、ネットワーク送信機と、
を備える、装置。
【請求項２０】
ユーザ端末として動作するように構成された装置であって、
ｅメールを送信者から受信するように構成されたネットワーク受信機であって、前記ｅメールは認証文字列及び前記送信器を所有する移動通信デバイスの電話番号を含む、ネットワーク受信機と、
前記認証文字列及び前記電話番号を抽出するように構成されたｅメール・クライアントと、
前記認証文字列、前記電話番号、及び前記ｅメール・コンテンツの識別子を、サーバに送信するように構成されたネットワーク送信機と、
を備え、
さらに前記ネットワーク受信器が、前記ｅメール・コンテンツの前記送信者が前記電話番号に関連付けられた前記移動通信デバイスを所有するか否かを示すメッセージを、前記サーバから受信するように構成された、
装置。
【請求項２１】
前記送信者からの前記ｅメールは前記識別子も含み、前記ｅメール・クライアントは前
記ｅメールから前記識別子を抽出するように配置構成された、請求項２０に記載の装置。
【請求項２２】
前記ｅメール・クライアントは、ハッシュ関数を前記ｅメール・コンテンツに適用する
ことによって前記識別子を生成するように配置構成された、請求項２０に記載の装置。